(57)【要約】【課題】ワームの水中姿勢を好適なものとするとともに、ワームに埋没状態となるジグヘッドに視覚効果を付与することにより、これらの相乗効果によって良好な釣果を期待することのできる、ジグヘッドを提案することを技術課題とした。【解決手段】フック１０Ｋに対して錘としてのヘッド１０Ｈを組み付けて構成されるジグヘッド１０において、前記フック１０Ｋにおけるラインアイ１１と胴曲げ１４との間に形成されたオフセットクランク１３の部分がヘッド１０Ｈに埋没するように形成され、前記オフセットクランク１３によりラインアイ１１が針先１２側に接近し、前記フック１０Ｋにおけるシャンク１６を水平にした状態で、前記ラインアイ１１が重心Ｇの上方に位置していることを特徴とする。【選択図】図２
2020078279.tif 000002
【特許請求の範囲】
【請求項１】
フックに対して錘としてのヘッドを組み付けて構成されるジグヘッドにおいて、
前記フックにおけるラインアイと胴曲げとの間に形成されたオフセットクランクの部分がヘッドに埋没するように形成され、
前記オフセットクランクによりラインアイが針先側に接近し、前記フックにおけるシャンクを水平にした状態で、前記ラインアイが重心の上方に位置していることを特徴とするジグヘッド。
【請求項２】
前記フックの一部は、胴打ち加工が施されて平坦面が形成されていることを特徴とする請求項１記載のジグヘッド。
【請求項３】
前記平坦面は、組み付けられるワームに埋没する位置に形成されていることを特徴とする請求項２記載のジグヘッド。
【請求項４】
前記ヘッドは、両側面が正面視ハの字状に形成され、非平行状態となるように構成されていることを特徴とする請求項１、２または３記載のジグヘッド。
【発明の詳細な説明】
【技術分野】
【０００１】
本発明は釣り用擬似餌の一種であるワームと組み合わされるジグヘッドに関するものである。
【背景技術】
【０００２】
比較的小型のアジ等の魚を対象とした擬似餌としてワームがある。このものは本体をＰＶＣ等の柔らかい素材を用いて昆虫、小魚等の形状に成型したものであり、これにジグヘッドを差し込んで擬餌針が構成される（例えば特許文献１参照）。
しかしながらこのような擬餌針Ｌ′の水中姿勢は、図４（ｂ）に示すように、ワーム１′の尾びれ部４′側が下向きとなったものとなってしまい、このことが釣果に悪影響を及ぼしてしまっているとの見方がある。
また対象魚にワームを視覚的にアピールするために、素材の色を異ならせたり、ラメ素材を混入すること等が行われているが、ジグヘッドのワームに埋没状態となる部位を積極的に活用することは行われていなかった。
【先行技術文献】
【特許文献】
【０００３】
【特許文献１】特開２０１６−２８５６１公報
【発明の概要】
【発明が解決しようとする課題】
【０００４】
本発明はこのような背景を認識してなされたものであって、ワームの水中姿勢を好適なものとするとともに、ワームに埋没状態となるジグヘッドに視覚効果を付与することにより、これらの相乗効果によって良好な釣果を期待することのできる、ジグヘッドを提案することを技術課題としたものである。
【課題を解決するための手段】
【０００５】
すなわち請求項１記載のジグヘッドは、フックに対して錘としてのヘッドを組み付けて構成されるジグヘッドにおいて、前記フックにおけるラインアイと胴曲げとの間に形成されたオフセットクランクの部分がヘッドに埋没するように形成され、前記オフセットクランクによりラインアイが針先側に接近し、前記フックにおけるシャンクを水平にした状態で、前記ラインアイが重心の上方に位置していることを特徴として成るものである。
【０００６】
また請求項２記載のジグヘッドは、前記要件に加え、前記フックの一部は、胴打ち加工が施されて平坦面が形成されていることを特徴として成るものである。
【０００７】
更にまた請求項３記載のジグヘッドは、前記請求項２記載の要件に加え、前記平坦面は、組み付けられるワームに埋没する位置に形成されていることを特徴として成るものである。
【０００８】
更にまた請求項４記載のジグヘッドは、前記要件に加え、前記ヘッドは、両側面が正面視ハの字状に形成され、非平行状態となるように構成されていることを特徴として成るものである。
そしてこれら各請求項記載の発明の構成を手段として前記課題の解決が図られる。
【発明の効果】
【０００９】
まず請求項１記載の発明によれば、ワームの水中姿勢を、実際の小魚等と同様、頭部から尾びれ部にかけて水平状態に近いものとすることができ、釣果の向上を期待することができる。
【００１０】
また請求項２記載の発明によれば、平坦面が煌くことにより、対象魚にワームを視覚的にアピールすることができ、集魚効果を高めることができる。
【００１１】
また請求項３記載の発明によれば、胴打ち加工された部位である平坦面が、抜け止め効果を奏するため、ワームの脱落を防止することができるとともに、姿勢の安定化が図られる。
また特に透明素材や半透明素材で形成したワームを用いた場合、ワームに埋没状態となる部位が煌くため、更に集魚効果を高めることができる。
【００１２】
また請求項４記載の発明によれば、ジグヘッドの重心をフックよりも下方に位置させることができ、擬餌針の姿勢を安定させることができる。
【図面の簡単な説明】
【００１３】
【図１】本発明のジグヘッドを組み合わせた擬餌針を示す斜視図である。
【図２】同上、ジグヘッドを示す側面図及び断面図である。
【図３】同上、ジグヘッドを示す正面図である。
【図４】本発明のジグヘッドを組み合わせた擬餌針の水中姿勢を示す側面図（ａ）及び従来タイプのジグヘッドを組み合わせた擬餌針の水中姿勢を示す側面図（ｂ）である。
【発明を実施するための形態】
【００１４】
以下本発明のジグヘッドの最良の形態について、図示の実施例に基づいて説明するが、この実施例に対して、本発明の技術的思想の範囲内において適宜変更を加えることも可能である。
【実施例】
【００１５】
図中符号１０で示すものが本発明のジグヘッド１０であって、このものはワーム１に対して組み付けられることにより擬餌針Ｌを構成する。
前記ワーム１は、可塑剤が添加されたポリ塩化ビニル（ＰＶＣ）等の柔軟な弾性部材を素材とし、小魚、甲殻類、昆虫等を模した短寸細径状を成すものである。
図１、４に示すワーム１は、一例として小魚を模したものであり、頭部２、胴部３及び尾びれ部４が連設され、前記胴部３の尾びれ部４寄りの部位には、胴部３の一部を切除したスリット６が形成される。なお本明細書においては、頭部２側を前方、尾びれ部４側を後方とする。
【００１６】
また前記ジグヘッド１０は図２（ａ）に示すように、フック１０Ｋに対して錘としてのヘッド１０Ｈを組み付けて構成されるものである。
前記フック１０Ｋは、ラインアイ１１と針先１２との間に、オフセットクランク１３、胴曲げ１４及び先曲げ１５の三個所に曲げ加工が施された釣針であり、オフセットクランク１３から胴曲げ１４までの部位をシャンク（胴、軸）１６と称し、シャンク１６と針先１２との間隔をゲイブ（フトコロ）１７と称するものである。
また前記針先１２と先曲げ１５との間の針先１２寄りの個所には、バーブ（カエシ）１８が設けられる。
そして前記ヘッド１０Ｈを一例として鉛の鋳造により成型する際に、オフセットクランク１３の部分がヘッド１０Ｈに埋没するように形成される。
【００１７】
そして図２に示すように、前記オフセットクランク１３により、ラインアイ１１がオフセットクランク１３の屈曲部よりも針先１２側に接近した個所に位置するようになっている。更にシャンク１６が水平になった状態で、ラインアイ１１が重心Ｇの上方に位置するとともに、針先１２からバーブ１８にかけての部位が、ラインアイ１１よりも上方に位置している。
なお前記オフセットクランク１３は図２（ａ）に示すように鋭角状とする他、図２（ｂ）に示すような複数個所を鈍角状に曲げたり、曲線状に曲げることにより形成することもできる。
【００１８】
また前記フック１０Ｋの一部には、胴打ち（平打ち）加工が施されて平坦面１９が形成されるものであり、この実施例では、胴曲げ１４周辺に平坦面１９が形成されるようにした。この様な平坦面１９が形成されることにより、針先１２側を広げようとする力に対する強度が増すこととなる。
なお前記平坦面１９が、組み付けられるワーム１に埋没する位置に形成されることにより、後述するような今までにない集魚効果を奏することができるものである。
【００１９】
また図３に示すように、前記ヘッド１０Ｈは、両側面が正面視ハの字状に形成され、非平行状態となるように構成されているため、ジグヘッド１０の重心Ｇをフック１０Ｋよりも下方に位置させることができ、ワーム１が組み付けられたときの擬餌針Ｌの姿勢を安定させることができる。
【００２０】
そして前記ワーム１に対してジグヘッド１０が組み付けられるものであり、針先１２を頭部２の正面に突き刺すとともに、針先１２を押し進め、図１、４( ａ）に示すように胴部３から針先１２が突き出るようにする。
なお図１、４( ａ）に示す実施例では、平坦面１９の大部分はワーム１に埋没した状態となり、一部が外部に露出した状態となるようにされている。
【００２１】
そして上述のように構成された擬餌針Ｌは図４（ａ）に示すように、ラインＴが引かれると重心Ｇがラインアイ１１の下方に位置した姿勢となり、このときシャンク１６が略平行状態となるため、ワーム１の水中姿勢を、実際の小魚等と同様、頭部２から尾びれ部４にかけて水平状態に近いものとすることができる。
この結果、ワーム１が受ける水流を、頭部２、胴部３、尾びれ部４の上面側に、入射角が小さい状態で受けることとなり、胴部３、尾びれ部４が効果的に曲げられて、対象魚Ｆにとって艶めかしい動きをして強烈にアピールすることができ、釣果の向上を期待することができる。
なお図４では、ラインＴが引かれる方向がアングラーが操作するリール（図示省略）と擬餌針Ｌとを結ぶ直線よりも上方向となっている様子を描写しているが、これはリールから水面まで伸びたラインＴは、水中をそのまま直線状に擬餌針Ｌまで伸びるのではなく、屈折するように伸びるといった実際の様子を表したものである。
【００２２】
また図１に示すように平坦面１９が煌くことにより、対象魚Ｆに視覚的に強烈にアピールすることができ、釣果の向上を期待することができる。
また胴打ち加工された部位である平坦面１９は、抜け止め効果を奏することとなり、ワーム１の脱落を防止することができるとともに、姿勢の安定化が図られる。
また特にワーム１を透明素材や半透明素材で形成した場合、ワーム１に埋没状態となる部位が煌くため、対象魚Ｆに対して今までになかった視覚的アピールをすることができる。
【００２３】
因みに図４（ｂ）に示す従来のジグヘッド１０′は、ヘッド１０Ｈ′の両側面が正面視平行状態となるように構成されたものであり、ラインＴが引かれて重心Ｇがラインアイ１１′の下方に位置した姿勢となったときに、シャンク１６′は後傾した状態になる。
この結果、ワーム１′が受ける水流を、頭部２′、胴部３′、尾びれ部４′の上面側に、入射角が大きい状態で受けることとなり、胴部３′、尾びれ部４′があまり曲げられないため、対象魚Ｆに対するアピールが弱いものとなってしまう。
なお上述のように従来のジグヘッド１０′がラインＴが引かれた際に後傾してしまうのは、シャンク１６′を水平にした状態で、ラインアイ１１′が重心Ｇの上方に位置することとなり、前方斜め上方向に位置するような構成に起因するものである。
【符号の説明】
【００２４】
１      ワーム
２      頭部
３      胴部
４      尾びれ部
６      スリット
１０    ジグヘッド
１０Ｋ  フック
１０Ｈ  ヘッド
１１    ラインアイ
１２    針先
１３    オフセットクランク
１４    胴曲げ
１５    先曲げ
１６    シャンク
１７    ゲイブ
１８    バーブ
１９    平坦面
Ｆ      対象魚
Ｇ      重心
Ｌ      擬餌針
Ｔ      ライン
【図１】
2020078279.tif 000003
【図２】
2020078279.tif 000004
【図３】
2020078279.tif 000005
【図４】
2020078279.tif 000006